(57)【要約】【課題】ロータリ耕耘部跡として圃場に形成される窪みに耕起土を十分に落とし込む。【解決手段】ロータリ耕耘部１１の後方を覆うリアカバー１５を備え、リアカバー１５は、ロータリ耕耘部１１の後方に位置するメインカバー１８と、メインカバー１８の後下部に装着されるサブカバー１９とを備え、サブカバー１９は、メインカバー１８に取り付けられる被取付部２９と、耕起土を均す整地部３０とを備え、サブカバー１９は、ロータリ耕耘部１１が耕耘位置から上昇したときにロータリ耕耘部跡の窪みに耕起土を押し入れるべく、被取付部２９に対して整地部３０をメインカバー１８の後下端から垂れ下げ可能にする枢支機構５６を介して装着している。【選択図】図１
2007319144.tif 000002
【特許請求の範囲】
【請求項１】
ロータリ耕耘部（１１）の後方を覆うリアカバー（１５）を備え、該リアカバー（１５）は、ロータリ耕耘部（１１）の後方に位置するメインカバー（１８）と、該メインカバー（１８）の後下部に装着されるサブカバー（１９）とを備え、該サブカバー（１９）は、メインカバー（１８）に取り付けられる被取付部（２９）と、該被取付部（２９）に装着されていて耕起土（ｍ）を均す整地部（３０）とを備えているロータリ耕耘機のカバー装置において、
前記サブカバー（１９）は、前記ロータリ耕耘部（１１）が耕耘位置から上昇したときにロータリ耕耘部跡の窪み（Ｐ）に前記耕起土（ｍ）を押し入れるべく、前記被取付部（２９）に対して整地部（３０）を前記メインカバー（１８）の後下端から垂れ下げ可能にする枢支機構（５６）を介して装着していることを特徴とするロータリ耕耘機のカバー装置。
【請求項２】
前記枢支機構（５６）は、前記整地部（３０）を前下向き傾斜すべくその重心よりも後方位置で枢支しており、前記整地部（３０）は、ロータリ耕耘部（１１）を耕耘位置とした状態で耕起土（ｍ）を均す整地面（５３）と、該整地面（５３）の前端に位置してロータリ耕耘部（１１）を耕耘位置から上昇させたときに垂れ下がった状態で前記耕起土（ｍ）を押動する押動面（５４）とを備えていることを特徴とする請求項１に記載のロータリ耕耘機のカバー装置。
【請求項３】
前記枢支機構（５６）は、前記整地部（３０）を後下向き傾斜すべくその重心よりも前方位置で枢支していることを特徴とする請求項１に記載のロータリ耕耘機のカバー装置。
【請求項４】
前記枢支機構（５６）は、前記整地部（３０）を垂れ下げ方向に付勢する付勢手段（６０）を備えていることを特徴とする請求項１乃至請求項３の何れか１項に記載のロータリ耕耘機のカバー装置。
【発明の詳細な説明】
【技術分野】
【０００１】
本発明は、ロータリ耕耘機のカバー装置に関するものである。
【背景技術】
【０００２】
従来、ロータリ耕耘機は、トラクタの後部に三点リンク機構を介して昇降自在に取り付けられる機枠と、該機枠の下部に左右方向の軸心回りに回転自在に支持された爪軸に複数の耕耘爪を取り付けてなるロータリ耕耘部と、該ロータリ耕耘部を覆うロータリカバーとを備えている。
該ロータリカバーは、ロータリ耕耘部の上方に設けられる上部カバーと、ロータリ耕耘部の後方に設けられるリヤカバーとを備えている。
また、リヤカバーが、上部カバーの後端側に左右方向の軸心廻りに回動自在に支持された上部側のメインカバーと、該メインカバーの下端側に設けられた取付部に着脱自在に取り付けられるサブカバーとを備えているロータリカバーが知られている。
【０００３】
例えば特許文献１のロータリ耕耘機において、サブカバーは、メインカバーに設けられた取付部に着脱自在に取り付けられる被取付部と、該被取付部にボルト等の締結具を介して締結された整地部とを備えている。
【特許文献１】特開２００６−６７９７２号公報
【発明の開示】
【発明が解決しようとする課題】
【０００４】
ところで、ロータリ耕耘機を用いた耕耘作業においては、ロータリ耕耘部を圃場に目的耕耘深さまで沈めた耕耘位置に設定して耕耘作業を行う一方、畔際の旋回時等、耕耘を行うことなくトラクタを移動させる必要がある場合には、その直前にトラクタを前進（旋回）移動させつつロータリ耕耘機を上昇させる。この結果、圃場には、ロータリ耕耘部跡として耕耘爪の回転半径程度の大きさを有する椀状の窪みが生じてしまう。
このとき、トラクタを前進させながらロータリ耕耘部を上昇させると、該上昇に伴ってメインカバー及びサブカバーが前記軸心廻りに前下方（接地面）に向けて相対的に揺動する。ところが、ロータリ耕耘機全体としてはやはり圃場から上昇するものであり、これにより、該上昇時のサブカバーの整地部は耕起土を上下方向中途部から上方に抜ける軌跡を通る。
【０００５】
しかしながら、上記特許文献１のロータリ耕耘機においては、サブカバーの整地部が被取付部に固設されているため、前記軌跡よりも下方の耕起土を浚うことできない。このため、上記特許文献１のロータリ耕耘機においては、ロータリ耕耘部の上昇に伴ってサブカバーの整地部が前下方に向けて相対的に揺動しながら耕起土を窪みに向けて押動すると云えども、十分な量の耕起土を窪みに落し込むことができない問題があった。
そこで、本発明の目的は、ロータリ耕耘部跡に形成される窪みに耕起土を十分に落とし込むことができるロータリ作業機のカバー装置を提供するようにしたものである。
【課題を解決するための手段】
【０００６】
前記目的を達成するため、本発明においては以下の技術的手段を講じた。
即ち、本発明における課題解決のための技術的手段は、ロータリ耕耘部１１の後方を覆うリアカバー１５を備え、該リアカバー１５は、ロータリ耕耘部１１の後方に位置するメインカバー１８と、該メインカバー１８の後下部に装着されるサブカバー１９とを備え、該サブカバー１９は、メインカバー１８に取り付けられる被取付部２９と、該被取付部２９に装着されていて耕起土ｍを均す整地部３０とを備えているロータリ耕耘機のカバー装置において、
前記サブカバー１９は、前記ロータリ耕耘部１１が耕耘位置から上昇したときにロータリ耕耘部跡の窪みＰに前記耕起土ｍを押し入れるべく、前記被取付部２９に対して整地部３０を前記メインカバー１８の後下端から垂れ下げ可能にする枢支機構５６を介して装着していることを特徴としている。
【０００７】
これによれば、ロータリ耕耘部１１を上昇させると、サブカバー１９の被取付部２９も上昇し、これに伴って整地部３０は相対的に回転して垂れ下がる。これにより、該整地部３０は耕起土ｍをより底部から浚うことができ、これによって十分な量の耕起土ｍが窪みＰに落とし入れられることとなる。
また、前記枢支機構５６は、前記整地部３０を前下向き傾斜すべくその重心よりも後方位置で枢支しており、前記整地部３０は、ロータリ耕耘部１１を耕耘位置とした状態で耕起土ｍを均す整地面５３と、該整地面５３の前端に位置してロータリ耕耘部１１を耕耘位置から上昇させたときに垂れ下がった状態で前記耕起土ｍを押動する押動面５４とを備えていることが好ましい。
【０００８】
これによれば、ロータリ耕耘部１１の上昇に伴って整地部３０の押動面５４が垂れ下がることとなり、該押動面５４によって耕起土ｍが窪みＰに落とし込まれ、より確実に前記耕起土ｍを窪みＰに落とし入れることができる。
また、前記枢支機構５６は、前記整地部３０を後下向き傾斜すべくその重心よりも前方位置で枢支していることが好ましい。
これによれば、ロータリ耕耘部１１の上昇に伴って整地部３０の後端部が垂れ下がることとなり、該後端部によって前記耕起土ｍが窪みＰに落とし込まれ、より確実に前記耕起土ｍを窪みＰに落とし入れることができる。
【０００９】
さらに、前記枢支機構５６は、前記整地部３０を垂れ下げ方向に付勢する付勢手段６０を備えていることが好ましい。
これによれば、整地部３０は、圃場にて付勢手段により該圃場に押し付けられる方向に付勢されることとなるため、ロータリ耕耘部１１の上昇に伴う整地部３０の姿勢変更がスムーズなものとなる。
【発明の効果】
【００１０】
本発明によれば、ロータリ耕耘部跡に形成される窪みに耕起土を十分に落とし込むことができる。したがって、ロータリ耕耘部の上昇により圃場に窪みが形成されるにも拘わらず、該ロータリ耕耘部の上昇させる過程で該窪みを埋めることができるのである。
【発明を実施するための最良の形態】
【００１１】
以下、本発明をロータリ耕耘機１に実施した形態につき、図面を参照して説明する。
図１〜図５は、本発明に係るカバー装置を備えたロータリ耕耘機１の第１の実施の形態を示している。
図３に示す如く、本実施の形態のロータリ耕耘機１はトラクタ（図示省略）の後部に三点リンク機構１ａ等を介して昇降自在に装着される。
該ロータリ耕耘機１は、中央のギヤケース２から左右に一対のサポートアーム３を突設し、一方のサポートアーム３の左右方向外端側に伝動ケース４の上部を固定すると共に、他方のサポートアーム３の左右方向外端側にサイドフレームの上部を固定して門型に構成された機枠５を有する。
【００１２】
該機枠５のギヤケース２には、トップマスト６が上方突出状に固定されている。該トップマスト６は、前後二股状に形成されており、該トップマスト６の前方突出部６ａの上部には、三点リンク機構１ａのトップリンク１ｂの後端側又は三点リンク機構１ａの後端側に連結される連結枠１ｄの上部に取り付けられる上部取付部７が設けられている。
また、各サポートアーム３には、三点リンク機構１ａのロアリンク１ｃの後端側又は三点リンク機構１ａの後端側に連結される連結枠１ｄの下部に取り付けられる取付ブラケット８が設けられている。
【００１３】
また、機枠５の下部には、伝動ケース４とサイドフレームとの下部間に左右方向の軸心廻りに回動自在に支持された爪軸９と、該爪軸９に取り付けられた複数の耕耘爪１０とを有するロータリ耕耘部１１が設けられている。
なお、機枠５のギヤケース２には、トラクタのＰＴＯ軸からドライブシャフトを介して動力が伝達されるＰＩＣ軸１２が設けられ、このＰＩＣ軸１２に伝達された動力は、ギヤケース２内の動力伝達機構、サポートアーム３内の伝動軸、伝動ケース４内の動力伝達機構を経て爪軸９に伝達されて、該爪軸９が、例えば、矢示Ａ方向に回転駆動されるように構成されている。
【００１４】
また、ロータリ耕耘機１には、ロータリ耕耘部１１を覆うロータリカバー（カバー装置）１３が設けられており、該ロータリカバー１３は、ロータリ耕耘部１１の上方を覆う上部カバー１４と、ロータリ耕耘部１１の後方を覆うリヤカバー１５と、ロータリ耕耘部１１の後部の左右両側を覆うサイドカバー（図示省略）とを備えている。
上部カバー１４は、その左右方向の端部が、伝動ケース４とサイドフレームとに固定された側板２５に取付固定されている。
リヤカバー１５は、上端側が上部カバー１４の後端側（機枠５側）に、左右方向の軸心を有する支軸１７の軸心回りに回動自在に枢支されていて、上下揺動自在に支持された上部側のメインカバー１８と、該メインカバー１８の下端側に着脱自在に取り付けられるサブカバー１９とを有して構成されている。
【００１５】
また、該ロータリ耕耘機１においては、リアカバー１５の下端側を下方側（接地方向）に付勢する弾下装置２３が機枠５とリアカバー１５に亘って且つ左右一対設けられている。
図１及び図２に示す如く、メインカバー１８の下端側には、サブカバー１９を取り外したときに圃場Ｆに接地する整地部１８ａが設けられている。また、該メインカバー１８の背面下部には、図５に示す如く、板材から形成された左右一対の取付部２４が設けられ、これら左右の取付部２４は、図１及び図２に示す如く、メインカバー１８の背面に上部から下部に亘って設けられた補強部材２６に溶接等によって固定された底壁２４ａと、該底壁２４ａの左右両側から後方側に延出された左右の側壁２４ｂとを有する。
【００１６】
左右の側壁２４ｂの上部側には、前後一対の係合部２７が設けられ、左右の側壁２４ｂの下部には、前後一対の位置決め部２８が設けられている。
前後一対の係合部２７は、それぞれ上方側に向けて開放状とされた溝から形成され、底部側は側面視円弧状に形成されている。
前後一対の位置決め部２８は、それぞれ左右方向に軸心を有する丸棒材によって構成され、左右の側壁２４ｂ間に亘って設けられている。
サブカバー１９は、メインカバー１８の左右の取付部２４に着脱自在に取り付けられる左右一対の被取付部２９と、該左右一対の被取付部２９に装着されていて後述の耕起土ｍを均す整地部３０とを有している。
【００１７】
サブカバー１９の被取付部２９は、整地部３０を支持する支持ブラケット３５と、該支持ブラケット３５をメインカバー１９に連結するためのロック部材３６とを有する。
該支持ブラケット３５は、板材から形成されていて、左右一対の側壁３５ａと、該左右一対の側壁３５ａの後部側上縁どうしを連結する上壁３５ｂと、左右側壁３５ａの後部側下部間に亘って設けられた下壁３５ｃとを有する。
また、支持ブラケット３５の後部には、サブカバー１９を持つために把持する把持部３８が設けられている。図５に示す如く、被取付部２９は左右一対あるので、把持部３８も左右一対設けられることとなり、これによってサブカバー１９を両手で持つことができる。
【００１８】
また、図１及び図２に示す如く、支持ブラケット３５の左右側壁３５ａの前部側上部にはメインカバー１８の取付部２４の係合部２７に上方側から係脱自在に係合する被係合部３９が設けられている。また、支持ブラケット３５の左右側壁３５ａの前部側下部には、メインカバー１８の取付部２４の位置決め部２８に後方側から係合する被位置決め部４０が設けられている。
被位置決め部４０は、前方側に向けて開放状の溝から形成され、被係合部３９を係合部２７に受持させた状態で、サブカバー１９が被係合部３９回りに前回りに回動することにより、後方側から位置決め部２８に係合（嵌合）する。
【００１９】
このとき、被位置決め部４０の下側部分が位置決め部２８に係合してサブカバー１９の上方側への移動が規制され、被係合部３９が係合部２７に係合し且つ被位置決め部４０が位置決め部２８に係合することによりサブカバー１９が位置決めされる。
本実施の形態では、係合部２７及び位置決め部２８は、前後２カ所に設けられていて、サブカバー１９は２位置に位置決めできるようになっている。
また、前側の係合部２７に被係合部３９を係合させると共に被位置決め部４０を前側の位置決め部２８に係合するときに、支持ブラケット３５の左右側壁３５ａが後側の位置決め部２８に干渉するのを防止するために、支持ブラケット３５の左右側壁３５ａには、後側の位置決め部２８に嵌合する係合溝４２が形成されている。
【００２０】
本実施の形態のリヤカバー１５にあっては、通常の深さのロータリ耕（標準耕耘作業）よりも深い耕耘（深耕し）を行う場合はサブカバー１９を外してメインカバー１８のみで使用し、標準耕耘作業を行う場合は被係合部３９を前側の係合部２７に係合した状態でサブカバー１９を位置決めして使用し、標準耕耘作業よりも浅い耕耘（浅耕し）又は代掻き作業を行う場合は被係合部３９を後側の係合部２７に係合した状態でサブカバー１９を位置決めして使用する。
前記ロック部材３６は、サブカバー１９を位置決めした状態で、被位置決め部４０とにより位置決め部２８を挟持することによりメインカバー１８の取付部２４からサブカバー１９が外れないようにロックするものであり、該ロック部材３６は、支持ブラケット３５の左右側壁３５ａに亘って設けられた左右方向の支軸４３を介して該支軸４３の軸心廻りに回動自在とされた枢支部４４と、該枢支部４４に接続部４５を介して接続されたレバー部４６と、枢支部４４から前方側に延設されて被位置決め部４０とで位置決め部２８を挟持する（掴む）フック状のロック部４７とを有している。
【００２１】
図２に示す如く、ロック部材３６は、支軸４３回りに回動することにより、ロック部４７と被位置決め部４０とで位置決め部２８を挟持するロック位置（図２の実線位置）と、該ロック状態を解除すべくロック部４７が位置決め部２８から離反した位置（図２の２点鎖線位置）に位置する非ロック位置とに位置変更自在とされている。
また、枢支部４４には捩りコイルバネ４８が外嵌され、該捩りコイルバネ４８によってロック部材３６はロック位置に向けて回動する方向に付勢されている。
レバー部４６は、支持ブラケット３５の上壁３５ｂと対向する位置に配備されている。ロック部材３６がロック位置にある場合において、レバー部４６を支持ブラケット３５の把持部３８と一緒に握ることにより、該レバー部４６が前記上壁３５ｂに近接してロック部材３６が非ロック位置へと回動する。
【００２２】
支持ブラケット３５の下壁３５ｃの下部に配備されている整地部３０は、圃場Ｆに接地する整地部材５０と、該整地部材５０を支持すると共に支持ブラケット３５の下壁３５ｃに支持される支持部材５１とを備えている。
整地部材５０は、図１及び図５に示す如くロータリ耕耘部１１の幅と同程度の幅を有する金属製の薄板を屈曲形成して構成されており、前後方向に凸円弧状に形成された整地面５３と、該整地面５３の前端部５３ｆから立ち上がって形成される押動面５４と、整地面５３の後部５３ｒを下側から上側に向けて弧状に折り返して形成されるループ面５５とを備えている。これにより、押動面５４の背部とループ面５５との間が上方開放状に形成されることとなっている。
【００２３】
また、支持部材５１は、短冊状に形成されて支持ブラケット３５の下壁３５ｃに対向する位置に配備されており、前端部が整地部材５０の押動面５４の裏側に連結されると共に、後端部がループ面５５の前部に連結されている。
また、支持部材５１は、枢支機構５６を介して支持ブラケット３５に支持されている。該枢支機構５６は、ロータリ耕耘部１１が耕耘位置から上昇したときに被取付部２９に対して整地部３０をメインカバー１８の後下端よりも垂れ下げるものであって、支持ブラケット３５の下壁３５ｃで下方に突設された駒部５７と、整地部３０の支持部材５１に設けられた円筒部５８と、これら駒部５７及び円筒部５８を貫通する軸体５９とを備えている。
【００２４】
また、駒部５７は支持ブラケット３５の下壁３５ｃの後部に配備されると共に、円筒部５８は支持部材５１の後端部側となる位置に配備されている。これにより、枢支機構５６は、整地部３０をその重心を通過して前後に二分する直線Ｇよりも後方となる位置で枢支している。或いは、枢支機構５６の軸体５９の軸心よりも前側に整地部３０の重心が位置しているとも言える。このため、ロータリ耕耘部１１の上昇に伴ってメインカバー１８が持ち上がると、整地部３０は、図１中に２点鎖線で示す如く軸体５９の軸心を回転中心として、自重により押動面５４を下降させる共にループ面５５を上昇させて揺動する。
【００２５】
ここで、支持ブラケット３５の後端部は、ループ面５５と対向する位置まで後方に突出しており、揺動するループ面５５に当接可能とされている。これにより、整地部３０は、自重により揺動をするとループ面５５の上端部が支持ブラケット３５の後端部に当接することとなり、これによってこれ以上の揺動を規制される。
また、整地部３０がこの様にループ面５５の上端部を支持ブラケット３５の後端部に当接した姿勢に設定されると、該整地部３０の押動面５４はメインカバー１８の整地部１８ａに対向していた位置から該整地部１８ａの後下方まで揺動し、図１中に１点鎖線で示す水平線Ｈに対し鉛直状又は略鉛直状に立ち上がる。
【００２６】
また、枢支機構５６の円筒部５８には、整地部３０の前部を支持ブラケット３５から離間する方向に付勢するバネ等からなる付勢手段６０が配備されている。
本実施の形態は以上の構成からなるものであって、続いて、本実施の形態のロータリ耕耘機１を用いた圃場の耕耘方法について、説明する。
図３に示す如く、トラクタを前進させると共にロータリ耕耘機１を作動させることにより圃場Ｆを掘削していくと、掘削された土砂（泥土）は、耕耘爪１０によって耕耘された後、耕起土ｍとなってロータリ耕耘部１１の後方に堆積することとなるが、該耕起土ｍは、トラクタの前進によりロータリ耕耘部１１に続いて牽引されるサブカバー１９の整地部３０により崩されて均される。これにより、圃場Ｆの耕耘と整地が効率よく進められることとなるのである。
【００２７】
このとき、整地部３０は、トラクタの前進による牽引力と圃場Ｆや耕起土ｍからの接地圧（均平圧）とを受ける。これらの力のバランスにより、整地部３０は、整地部材５０の押動面５４をメインカバー１８の整地部１８ａに対向させて且つ整地面５３の後部５３ｒを前部よりも下側とした姿勢に維持される。これによって、整地部材５０の整地面５３の後部５３ｒ及びループ面５５が圃場Ｆに接することとなり、これら整地面５３の後部５３ｒとループ面５５とによって耕起土ｍが均されていく。また、上記接地圧は圃場Ｆの凹凸によって変動するため、整地部３０の整地部材５０には大小様々な接地圧が作用することとなるが、かかる接地圧は枢支機構５６の付勢手段６０がダンパとして機能することによりによって適宜吸収される。このため、整地部３０が圃場Ｆの凹凸に過敏に反応してがたつく虞はない。
【００２８】
この状態で圃場Ｆの耕耘を進め、畔際までトラクタを前進させると、該トラクタを１８０°旋回させながらロータリ耕耘部１１を上昇させて圃場Ｆから引き上げる。このとき、図４に示す如く、該ロータリ耕耘部１１の上昇に伴って圃場Ｆにはロータリ耕耘部跡の窪みＰが形成される。
ここで、メインカバー１８及びサブカバー１９は、弾下装置２３により接地方向に向けて揺動するものの、支軸１７はやはりロータリ耕耘部１１と共に上昇する。この様なカバー１８、１９の動きに追従することにより、枢支機構５６の軸体５９の軸心は、耕起土ｍの底部から上方に抜ける図４中の軌跡ｔを通過することとなる。これに対し、サブカバー１９の整地部３０は、枢支機構５６を介して支持ブラケット３５に枢支されているため、前記ロータリ耕耘部１１の上昇に伴って自重により相対的に揺動する。そして、ループ面５５の上端部が支持ブラケット３５の後端部に当接する位置まで揺動することにより、サブカバーの整地部３０は、押動面５４をメインカバー１８の整地部１８ａの後下方に突出させて耕起土ｍに対向させた姿勢となる。
【００２９】
そして、この状態でトラクタを前進（旋回）させることにより、整地部３０の押動面５４が窪みＰの後方に堆積した耕起土ｍを該窪みＰに向けて押動するのである。該押動面は、前記軌跡ｔよりも耕起土ｍの底部側を通過するため、これによって、十分な量の耕起土ｍが窪みＰに落とし込まれ、耕起土ｍによって窪みが埋められることとなる。
このとき、押動面５４は、耕起土ｍを押動することによる反力を受けることとなるが、該押動面５４の背部に支持部材５１を介して枢支機構５６の軸体５９が位置しているため、整地部３０には、前記反力が軸体５９の軸心に向けて主に作用することとなる。このため、該整地部３０には、軸体５９を回転中心とした前記反力による回転モーメントが僅かに作用するに過ぎず、これによって耕起土ｍによる反力が作用するにも拘わらず整地部３０は安定した姿勢に保たれる。この結果、トラクタの旋回中にロータリ耕耘機１を上昇させるにも拘わらず、整地部３０の姿勢が大きくぶれることはなく、耕起土ｍは確実に窪みＰに落とし込まれる。
【００３０】
本実施の形態によれば、耕耘状態のロータリ耕耘部１１を上昇させることによって圃場Ｆに窪みＰが生じることとなっても、該窪みＰにはサブカバー１９の整地部３０によって耕起土ｍが十分に落とし込まれる。したがって、トラクタを旋回させるために生じる畔際付近窪みＰはトラクタを旋回させる過程で埋められこととなるのである。
図６及び図７は、本発明に係るカバー装置を備えたロータリ耕耘機１の第２の実施の形態を示しており、該ロータリ耕耘機１のロータリカバー（カバー装置）１３において、サブカバー１９の枢支機構５６は、図６に示す如く整地部３０の重心を通過して前後に二分する直線Ｇよりも前方となる位置で該整地部３０を枢支している。即ち、枢支機構５６の駒部５７は支持ブラケット３５の下壁３５ｃの前部に配備されると共に、円筒部５８は整地部３０の支持部材５１の前端部に配備されている。これにより、軸体５９の軸心よりも後側に整地部３０の重心が位置することとなる。
【００３１】
また、該枢支機構５６の円筒部５８には、整地部３０を垂れ下げ方向に付勢するバネ６０からなる付勢手段６０が配備されている。
また、整地部材５０は、整地面５３の前端部５３ｆが面取り状に屈曲形成されると共に、該前端部から立ち上がって形成される立上り面６１を備えている。また、該立上り面６１の上端部からは、前記メインカバー１８の整地部１８ａの湾曲に沿って湾曲する湾曲面６２が突出している。
第２の実施の形態のロータリ耕耘機１を用いて標準耕耘作業を行うと、整地部３０は、付勢手段６０の付勢力に抗した接地圧を圃場Ｆから受けながら支持部材５１の上端部を支持ブラケット３５の下壁３５ｃに当接させた状態で牽引される。このため、整地部３０は、整地部材５０の整地面５３の後部５３ｒ及びループ面５５を接地させた姿勢となり、これら整地面５３の後部５３ｒとループ面５５とによって圃場Ｆが整地されていく。
【００３２】
この状態からトラクタを旋回させながらロータリ耕耘部１１を引き上げると、自重及び枢支機構５６の付勢手段６０の付勢力により整地部３０は相対的に揺動し、これによって整地部３０は、図７に示す如く整地部材５０の整地面５３の後部５３ｒ及びループ面５５をメインカバー１８の整地部１８ａや枢支機構５６の軸体５９よりも垂れ下げた姿勢となる。このとき、整地部材５０の立上り面６１がメインカバー１８の整地部１８ａの後端部に当接することとなり、これによって、整地部材５０は前記垂れ下げた姿勢に維持される。
【００３３】
サブカバー１９の整地部３０のかかる動作の最中にもトラクタは旋回しており、これによって該整地部３０の整地面５３の後部５３ｒ及びループ面５５が窪みＰの後方に堆積した耕起土ｍを窪みＰに向けて押動する。このとき、これら整地面５３の後部５３ｒ及びループ面５５は、枢支機構５６の軸体５９の軸心が通過する軌跡ｔよりも耕起土ｍの底部側を通過するため、十分な量の耕起土ｍが窪みＰに落とし込まれ、これによって窪みＰは埋められる。
以上、本発明の実施の形態を詳述したが、本発明は上記の実施の形態に限定されるものではない。例えば、上記第１の実施の形態の付勢手段を配備しない構成とした場合にも、本発明と同様の効果が得られる。
【００３４】
また、整地部３０の左右両側に、該整地部３０から左右方向外方に突出可能とされた延長整地部を配備する構成を採用することも可能である。
【図面の簡単な説明】
【００３５】
【図１】本発明の第１の実施の形態の要部を示す断面側面図である。
【図２】メインカバーからサブカバーを取り外した状態を示す断面側面図である。
【図３】耕耘状態のロータリ耕耘機を示す左側面図である。
【図４】ロータリ耕耘機を耕耘位置から上昇させた状態を示す左側面図である。
【図５】サブカバーの平面図である。
【図６】本発明の第２の実施の形態の要部を示す断面側面図である。
【図７】該サブカバーにより耕起土を押動する状態を示す断面側面図である。
【符号の説明】
【００３６】
１      ロータリ耕耘機
１８    メインカバー
１９    サブカバー
２４    取付部
２９    被取付部
３０    整地部
３５    支持ブラケット
５０    整地部材
５１    支持部材
５３    整地面
５４    押動面
５５    ループ面
５６    枢支機構
５７    駒部
５９    軸体
６０    付勢手段
Ｆ      圃場
ｍ      耕起土
Ｐ      窪み
【図１】
2007319144.tif 000003
【図２】
2007319144.tif 000004
【図３】
2007319144.tif 000005
【図４】
2007319144.tif 000006
【図５】
2007319144.tif 000007
【図６】
2007319144.tif 000008
【図７】
2007319144.tif 000009